(57)【要約】【課題】建物の外壁部から突出する横引きパイプと外壁部との間の隙間を簡便に覆い隠し、その隙間の周辺を美麗に収めるだけでなく、隙間に施されるシーリングの確認、補修などのメンテナンス性を向上させることのできるカバー部材の取付構造を提供すること。【解決手段】排水ます５の枝管８の外側に筒状の連結部材１６が取り付けられ、連結部材は、枝管の一端８ａ側に位置する一端１７ａから他端１７ｂに向かって延び、連結部材の外側に配置された、弾性を有する連結アーム１７を有し、連結アームの長さよりも短い筒状の被係止部１３が設けられるとともに、被係止部の一端１３ａにフランジ部１４が設けられたカバー部材１１が、外壁部１の表面に設けられ、連結部材の連結アームが、カバー部材の被係止部にその内側から弾性的に係合して被係止部を係止し、カバー部材が、横引きパイプ３と外壁部の間の隙間１０を覆い隠して固定されている。【選択図】図１
2012007402.tif 000002
【特許請求の範囲】
【請求項１】
建物の外壁部からその外側に突出する横引きパイプと、竪樋に接続される排水ますとの接続部において、
排水ますには、竪樋への排水方向と交差する方向に突出して延びる筒状の枝管が設けられ、この枝管では、その内側に前記横引きパイプが挿入され、
前記枝管の外側に筒状の連結部材が取り付けられ、この連結部材は、前記枝管の最も突出した一端側に位置する一端から最も排水ます側に位置する他端に向かって延び、連結部材の外側に配置された、弾性を有する連結アームを有し、
前記連結アームを内側に収め、連結アームの長さよりも短い筒状の被係止部が設けられるとともに、この被係止部の一端に、鍔状に延在するフランジ部が設けられたカバー部材が、前記外壁部の表面に設けられ、
前記連結部材の連結アームが、前記カバー部材の被係止部にその内側から弾性的に係合して被係止部を係止し、カバー部材が、前記フランジ部を外壁部の表面上に配置し、前記横引きパイプと外壁部の間の隙間を覆い隠して固定されている
ことを特徴とするカバー部材の取付構造。
【請求項２】
前記連結アームは、連結部材の外側に次第に広がって延び、前記他端に爪部が設けられ、この爪部が、前記カバー部材において、前記フランジ部が設けられた被係止部の前記一端と反対側に位置する他端を噛み込み、カバー部材が固定されていることを特徴とする請求項１に記載のカバー部材の取付構造。
【請求項３】
前記連結アームの外側の表面部および前記カバー部材の被係止部の内周面部に波型の歯部が形成され、それぞれの歯部同士が噛み合って、カバー部材が固定されていることを特徴とする請求項１に記載のカバー部材の取付構造。
【請求項４】
前記連結部材が、前記排水ますの枝管と一体に形成されていることを特徴とする請求項２または３に記載のカバー部材の取付構造。
【発明の詳細な説明】
【技術分野】
【０００１】
本発明は、建物の屋外に引き出された雨水排水用の横引きパイプと排水ますとの接続部において、横引きパイプと建物の外壁部との間の隙間を覆い隠すカバー部材の取付構造に関する。
【背景技術】
【０００２】
家屋のベランダやバルコニー、また、ビルディングなどの建物では、雨水を竪樋を通じて排水するために、外壁部からその外側に突出させて雨水排水用の横引きパイプが設けられることがある。この横引きパイプは、建物の高さ方向に設けられた竪樋に排水ますを介して接続される。
【０００３】
このような横引きパイプと排水ますの接続部に関し、下記特許文献１に記載された呼び樋が知られている。
【０００４】
特許文献１に記載された呼び樋は、建物の外壁から端部を突出させた雨水配管が接続する受け口を、呼び樋の側面部に設けた円筒開口部の外周にスライド自在に挿着した中カバー体および中カバー体の外周にスライド自在に挿着した外カバー体によって、伸縮自在に設けている。この呼び樋によれば、外壁との間隔の長短にフレキシブルに対応することができ、雨水配管を露出させることなく竪樋と連結することができる。
【０００５】
また、下記特許文献２には、簡単かつ安定した状態で外壁に取り付けることのできる排水枡が記載されている。この排水枡は、枡本体と取付具を備え、外壁への取付部を美麗に仕上げるための化粧カバーを有している。
【０００６】
そして、特許文献２には、実施例２において、取付具の筒状の挿入部の外周面に係止バネが取り付けられ、この係止バネが、枡本体の函体の側壁に設けられた筒状の挿入口の内周面に設けられた段差に係止されて枡本体が取付具に取り付けられることが記載されている。
【先行技術文献】
【特許文献】
【０００７】
【特許文献１】特開２００４−１１１８５号公報
【特許文献２】特開平１０−３２５２２０号公報
【発明の概要】
【発明が解決しようとする課題】
【０００８】
しかしながら、特許文献１に記載された呼び樋は、その施工時に、外カバー体の端部が、外方突起に接着剤を塗布して外壁に固着される。したがって、外壁と雨水配管の間に隙間が形成され、この隙間を通じての雨水の漏水や外壁部の内部への雨水の浸入などを抑制するためにシーリングが施される場合、その確認や補修を行う際に、外カバー体の取外しが容易ではないことが指摘される。このように、上記呼び樋は、メンテナンス性が良好であるとは言いがたい。
【０００９】
また、特許文献２に記載された排水枡では、係止バネが屋内側に開いた状態で取り付けられているので、枡本体と取付具は、取付けが強固である一方で、分離して取り外すことは必ずしも容易ではない。したがって、特許文献２に記載された排水枡も、上記シーリングの確認や補修を行う際のメンテナンス性が良好であるとは言いがたい。
【００１０】
しかも、特許文献２に記載された排水枡では、取付具は、ビスにより外壁に取り付けられるので、シーリングの確認や補修を行うメンテナンスの際には、ビスを取り外すという手間もかかることが指摘される。この手間は、作業終了後に排水枡を再び取り付ける際にも同様に指摘される。
【００１１】
本発明は、以上のとおりの事情に鑑みてなされたものであり、建物の外壁部からその外側に突出する横引きパイプと外壁部との間の隙間を簡便に覆い隠し、その隙間の周辺を美麗に収めるだけでなく、隙間に施されるシーリングの確認、補修などのメンテナンス性を向上させることのできるカバー部材の取付構造を提供することを課題としている。
【課題を解決するための手段】
【００１２】
上記の課題を解決するために、本発明のカバー部材の取付構造は、建物の外壁部からその外側に突出する横引きパイプと、竪樋に接続される排水ますとの接続部において、排水ますには、竪樋への排水方向と交差する方向に突出して延びる筒状の枝管が設けられ、この枝管では、その内側に横引きパイプが挿入され、枝管の外側に筒状の連結部材が取り付けられ、この連結部材は、枝管の最も突出した一端側に位置する一端から最も排水ます側に位置する他端に向かって延び、連結部材の外側に配置された、弾性を有する連結アームを有し、連結アームを内側に収め、連結アームの長さよりも短い筒状の被係止部が設けられるとともに、この被係止部の一端に、鍔状に延在するフランジ部が設けられたカバー部材が、外壁部の表面に設けられ、連結部材の連結アームが、カバー部材の被係止部にその内側から弾性的に係合して被係止部を係止し、カバー部材が、フランジ部を外壁部の表面上に配置し、横引きパイプと外壁部の間の隙間を覆い隠して固定されていることを特徴とする。
【００１３】
このカバー部材の取付構造においては、連結アームは、連結部材の外側に次第に広がって延び、他端に爪部が設けられ、この爪部が、カバー部材において、フランジ部が設けられた被係止部の一端と反対側に位置する他端を噛み込み、カバー部材が固定されていることが好ましい。
【００１４】
また、このカバー部材の取付構造においては、連結アームの外側の表面部およびカバー部材の被係止部の内周面部に波型の歯部が形成され、それぞれの歯部同士が噛み合って、カバー部材が固定されていることが好ましい。
【００１５】
また、このカバー部材の取付構造においては、連結部材が、排水ますの枝管と一体に形成されていることが好ましい。
【発明の効果】
【００１６】
本発明のカバー部材の取付構造によれば、連結アームを連結部材の外面側に近づけるように内側に押し込むことによって、カバー部材の被係止部の係止および係合を簡単に解除することができる。この後、カバー部材を枝管に沿って排水ます側にスライド移動させることによって、外壁部からカバー部材を容易に取り外すことができる。したがって、横引きパイプと外壁部の間の隙間に施したシーリングの確認、補修などを容易に行うことができ、メンテナンス性が向上する。また、カバー部材を取り付けると、外壁部において横引きパイプとの間の隙間の周辺を覆い隠すことができ、美麗に収まる。
【図面の簡単な説明】
【００１７】
【図１】本発明のカバー部材の取付構造の第１実施形態を示した要部断面図である。
【図２】図１に示した連結部材およびカバー部材を示した分解斜視図である。
【図３】本発明のカバー部材の取付構造の第２実施形態を示した要部断面図である。
【図４】図３に示した連結部材およびカバー部材を示した分解斜視図である。
【発明を実施するための形態】
【００１８】
（第１実施形態）
上記のとおり、図１は、本発明のカバー部材の取付構造の第１実施形態を示した要部断面図であり、図２は、図１に示した連結部材およびカバー部材を示した分解斜視図である。
【００１９】
この第１実施形態のカバー部材の取付構造では、家屋のベランダやバルコニー、また、ビルディングなどの建物の外壁部１に、その内外を貫通する円形の開口２が形成され、雨水排水用の横引きパイプ３が開口２に挿入されている。横引きパイプ３は円形の配管であり、その先端部３ａは、外壁部１からその外側に突出している。横引きパイプ３の外径は、開口２の内径よりも若干小さく、開口２への挿入および先端部３ａの突出を容易としている。横引きパイプ３において、雨水の流れに関し上流側に位置する端部は、建物のベランダやバルコニーなどではその床面に、ビルディングなどでは屋上面に設けられた排水ドレンなどに接続されている。そして、横引きパイプ３には、雨水の排水を良好に行うことができるように、先端部３ａに向かって緩やかに傾斜して下る排水勾配が設けられている。
【００２０】
横引きパイプ３を、建物の高さ方向に設けられた竪樋４に接続する排水ます５は、略角筒状の形状を有し、排水ます５の上端部には、取付けおよび取外しが自在とされた蓋６が設けられている。蓋６を取り外すことによって、排水ます５の内部の点検および保守が可能となっている。竪樋４との接続部７は、排水ます５の下端部の内側に設けられ、接続片部７ａを有している。接続片部７ａを含め、排水ます５は、金属製または樹脂製とすることができ、素材に基づく弾性を本来的に有している。同じく金属製または樹脂製の竪樋４は、その上端部が、排水ます５の内周部と接続片部７ａとの間に挿入され、接続片部７ａに外側から弾性的に嵌合し、また、接続片部７ａによって排水ます５の内周部との間に弾性的に挟持されるなどして、排水ます５の下端部に接続される。
【００２１】
また、排水ます５では、横引きパイプ３に設けられた排水勾配とほぼ一致する勾配を有する円筒状の枝管８が設けられ、排水ます５の側面部９から外側に突出し、横方向に延びている。枝管８は、その最も突出した一端８ａから最も排水ます５側に位置する他端８ｂに向かって緩やかに傾斜して下っている。このように、枝管８は、排水ます５において、竪樋４への排水方向と交差する方向に延びている。枝管８の内径は、横引きパイプ３の先端部３ａの外径にほぼ等しいか若干大きく、横引きパイプ３と排水ます５を接続する際には、横引きパイプ３が、枝管８の内側に嵌め込まれるように挿入される。枝管８も、排水ます５の一部であるため、金属製または樹脂製とすることができ、素材に基づく弾性を本来的に有している。
【００２２】
また、第１実施形態のカバー部材の取付構造では、建物の外壁部１に形成された開口２の内径と横引きパイプ３の外径との相違に基づいて両者の間に形成される隙間１０に防水用のシーリングが施工される。このシーリングは、隙間１０を通じての雨水の漏水や外壁部１の内部への雨水の浸入などを抑制することができる。
【００２３】
また、第１実施形態のカバー部材の取付構造では、外壁部１において横引きパイプ３が引き出される、隙間１０の周りを美麗に収めるために、カバー部材１１が取り付けられる。カバー部材１１は、平面視円形状の形状を有し、中央部に円形の開口１２が形成されている。カバー部材１１では、開口１２とほぼ等しい内径を有する円筒状の被係止部１３が、カバー部材１１の表面から外側に向かって延びている。また、カバー部材１１では、被係止部１３の開口１２側の一端１３ａに、鍔状に延在するフランジ部１４が設けられている。フランジ部１４の外周縁には、カバー部材１１の裏面から外側に向かって延び、被係止部１３の長さよりも短い円筒形状を有する外壁当接部１５が設けられている。開口１２および被係止部１３の内径は、排水ます５の枝管８の外径よりも大きい。カバー部材１１も、排水ます５と同様に、金属製または樹脂製とすることができ、素材に基づく弾性を本来的に有している。
【００２４】
このようなカバー部材１１を固定するために、第１実施形態のカバー部材の取付構造では、円筒状の形状を有する連結部材１６が用いられている。連結部材１６も、カバー部材１１と同様に、金属製または樹脂製とすることができ、素材に基づく弾性を本来的に有している。
【００２５】
連結部材１６は、その内径が、排水ます５の枝管８の外径に等しく、枝管８の外側に取り付けられる。連結部材１６は、枝管８の最も突出した一端８ａから最も排水ます５側に位置する他端８ｂに向かって挿入することにより、枝管８の外側に配置される。この挿入に先立って、枝管８の外周面または連結部材１６の内周面のいずれか一方または両方に接着剤を塗布しておき、枝管８の外側に配置後に、連結部材１６をその接着剤によって枝管８に接着させ、固定することができる。また、連結部材１６の取付けは、接着剤を用いた接着ばかりでなく、排水ます５とともに、枝管８と一体に成形することが可能である。
【００２６】
連結部材１６には、２つの連結アーム１７が、連結部材１６の直径方向に対向して配置されるとともに、連結部材１６の外周外側に設けられている。各連結アーム１７は、連結部材１６においてその上下に配置されている。また、連結アーム１７は、連結部材１６と一体に設けられ、連結部材１６と同様に金属製または樹脂製であり、弾性を有している。しかも、連結アーム１７は、枝管８の最も突出した一端８ａ側に位置する一端１７ａから最も排水ます５側に位置する他端１７ｂに向かって、連結部材１６の外側に次第に広がって延びている。連結アーム１７の他端１７ｂには、他端１７ｂから連結アーム１７の外側に斜めに傾斜して突出する爪部１８が設けられている。
【００２７】
カバー部材１１の被係止部１３は、その内径が排水ます５の枝管８の外径よりも大きいため、枝管８に取り付けられる連結部材１６に設けられた連結アーム１７を内側に収めることができる。また、被係止部１３の長さは、連結アーム１７の長さよりも短くなっている。
【００２８】
このような第１実施形態のカバー部材の取付構造では、カバー部材１１を取り付ける際には、排水ます５の枝管８に連結部材１６が取り付けられ、固定された後、または一体に形成されている場合はその状態において、カバー部材１１を連結部材１６の長さ方向に沿ってスライドさせ、排水ます５側に配置しておく。このカバー部材１１のスライドは、連結アーム１７を、その他端１７ｂ側の部分、たとえば爪部１８およびその周辺部などにおいて連結部材１６の外面側に近づけるように内側に押し込み、撓ませることによって実現される。この押し込み作業は、作業者の人手によって簡単に行うことができる。
【００２９】
次いで、外壁部１からその外側に突出している横引きパイプ３の先端部３ａを枝管８の内側に一端８ａから挿入する。この後、先ほどと同じように、連結アーム１７を、その他端１７ｂの部分、たとえば爪部１８およびその周辺部などにおいて連結部材１６の外面側に近づけるように内側に押し込み、撓ませ、カバー部材１１を連結部材１６に沿って外壁部１側にスライドさせる。カバー部材１１の外壁当接部１５の裏面が外壁部１の表面に当接し、カバー部材１１が外壁部１の表面に配置される。外壁部１における開口２と横引きパイプ３との間の隙間１０の周辺をフランジ部１４によって覆い隠すことができ、隙間１０の周辺が美麗に収まる。隙間１０に施したシーリングもカバー部材１１のフランジ部１４によって覆い隠される。このとき、内側に押し込まれ、連結部材１６の外面側に近づくように撓み、弾性力が蓄積されていた連結アーム１７は、弾性力の開放にともなって外側に広がる。このため、連結アーム１７は、カバー部材１１の被係止部１３にその内側から弾性的に係合し、爪部１８が、被係止部１３における開口１２側の一端１３ａと反対側に位置する他端１３ｂに接触し、他端１３ｂを噛み込む。こうして、連結アーム１７は、被係止部１３を係止する。その結果、カバー部材１１は、連結アーム１７によって保持されて外壁部１の表面に固定される。
【００３０】
一方、隙間１０に施したシーリングの確認や補修を行う際には、上記のとおり、連結アーム１７が、カバー部材１１の被係止部１３にその内側から弾性的に係合して被係止部１３を係止して固定され、接着によって固定されていないので、カバー部材１１を取り外すことができる。すなわち、連結アーム１７をその他端１７ｂ側の部分、たとえば、爪部１８およびその周辺部などにおいて連結部材１６の外面側に近づけるように押し込み、撓ませる。この押し込み作業も、作業者の人手によって簡単に行うことができる。このとき、爪部１８による被係止部１３の他端１３ｂの噛み込みが解除される。連結アーム１７は被係止部１３の内側に収まり、カバー部材１１を連結部材１６に沿って排水ます５側にスライドさせることができる。こうして、カバー部材１１の外壁部１からの取外しは、容易に行うことができる。外壁部１において開口２と横引きパイプ３との間の隙間１０の周辺が露出し、隙間１０に施したシーリングの確認、補修などを行うことができる。
【００３１】
このように、第１実施形態のカバー部材の取付構造では、連結アーム１７を連結部材１６の外面側に近づけるように内側に押し込むことによって、カバー部材１１の被係止部１３の係止および係合を簡単に解除することができる。この後、カバー部材１１を枝管８に沿って排水ます５側にスライド移動させることによって、外壁部１からカバー部材１１を容易に取り外すことができる。ビスの取外しなどの作業も必要とされない。したがって、横引きパイプ３と外壁部１の間の隙間１０に施したシーリングの確認、補修などを容易に行うことができ、メンテナンス性が向上する。また、カバー部材１１を取り付けると、外壁部１において横引きパイプ３との間の隙間１０の周辺を覆い隠すことができ、美麗に収まる。
【００３２】
なお、第１実施形態のカバー部材の取付構造では、連結アーム１７が、連結部材１６の直径方向に対向して２つ配置されているが、連結アーム１７の数は、特に２つに限定されることはない。カバー部材１１の固定力や、連結部材１６の外面側に近づけるように内側に押し込み、撓ませる押し込み作業の作業性などを考慮して適宜な数とすることができる。１つであっても、３つ以上の複数としても構わない。
【００３３】
また、爪部１８は、連結アーム１７の他端１７ｂにのみ設けられているが、連結アーム１７の長さ方向の中ほどにも設けることが可能である。連結アーム１７の長さ方向の中ほどに設けられる爪部１８は、被係止部１３の他端１３ｂを噛み込むことはないが、被係止部１３の内面に食い込むように被係止部１３と係合するため、カバー部材１１の固定力が高まるなどの利点がある。
（第２実施形態）
図３は、本発明のカバー部材の取付構造の第２実施形態を示した要部断面図であり、図４は、図３に示した連結部材およびカバー部材を示した分解斜視図である。
【００３４】
なお、第２実施形態に関しては、図３および図４において第１実施形態に対応する部分に同一の符号を付し、以下ではその説明を省略する。
【００３５】
第２実施形態のカバー部材の取付構造では、連結アーム１７および被係止部１３の構成が、第１実施形態のカバー部材の取付構造と異なっている。
【００３６】
第２実施形態のカバー部材の取付構造では、連結部材１６に設けられた連結アーム１７は、一端１７ａが、連結部材１６に対してほぼ直角に起立し、一端１７ａから他端１７ｂまで連結部材１６の長さ方向に沿って平行に延び、連結部材１６の外側に配置されている。また、連結アーム１７の外側の表面部には、一端１７ａ側を除いた部分に波型の歯部１９が形成されている。
【００３７】
カバー部材１１の被係止部１３には、その内周面部に、歯部１９と噛み合う歯部２０が形成されている。歯部１９、２０は、カバー部材１１を外壁部１に近づける方向のスライドに対しては、カチカチと音をたてながら噛み合うことができる一方、カバー部材１１を外壁部１から遠ざける方向には噛み合いによりスライドしにくくしている。具体的には、図３図中に拡大して示したように、連結アーム１７の外側の表面部に形成された歯部１９では、一端１７ａ側が急斜面状であり、他端１７ｂ側が緩やかに傾斜している。歯部２０は、歯部１９に対応した形状に形成されている。すなわち、歯部２０は、被係止部１３の他端１３ｂ側が急斜面状であり、一端１３ａ側が緩やかに傾斜している。
【００３８】
このような連結アーム１７および被係止部１３の構成を除いては、第２実施形態のカバー部材の取付構造は、第１実施形態と同様の構成を有している。
【００３９】
第２実施形態のカバー部材の取付構造では、カバー部材１１を取り付ける際には、排水ます５の枝管８に連結部材１６が取り付けられ、固定された後、または一体に形成されている場合はその状態において、カバー部材１１を連結部材１６の長さ方向に沿ってスライドさせ、排水ます５側に配置しておく。このカバー部材１１のスライドは、連結アーム１７をその他端１７ｂ側の部分において連結部材１６の外面側に近づけるように内側に押し込み、撓ませることによって実現される。連結アーム１７も弾性を有しているので、この押し込み作業は、作業者の人手によって簡単に行うことができる。
【００４０】
次いで、外壁部１１からその外側に突出している横引きパイプ３の先端部３ａを枝管８の内側に一端８ａから挿入する。この後、カバー部材１１を連結部材１６に沿って外壁部１側にスライドさせる。カバー部材１１の外側の表面部と、カバー部材１１の被係止部１３の内周面部とにそれぞれ形成された歯部１９、２０がカチカチと音をたてながら、連結アーム１７が有する弾性にしたがって噛み合っていく。カバー部材１１の外壁当接部１５の裏面が外壁部１の表面に当接し、カバー部材１１が外壁部１の表面に配置される。このとき、歯部１９、２０は十分に噛み合い、連結アーム１７が、カバー部材１１の被係止部１３にその内側から弾性的に係合して被係止部１３を係止する。カバー部材１１は、連結アーム１７によって保持されて外壁部１の表面に固定される。外壁部１における開口２と横引きパイプ３との間の隙間１０の周辺をフランジ部１４によって覆い隠すことができ、隙間１０の周辺が美麗に収まる。隙間１０に施したシーリングもカバー部材１１のフランジ部１４によって覆い隠される。
【００４１】
一方、隙間１０に施したシーリングの確認や補修を行う際には、上記のとおり、連結アーム１７が、カバー部材１１の被係止部１３にその内側から弾性的に係合して被係止部１３を係止して固定され、接着によって固定されていないので、カバー部材１１を取り外すことができる。すなわち、連結アーム１７をその他端１７ｂ側の部分において連結部材１６の外面側に近づけるように押し込み、撓ませる。この押し込み作業も、作業者の人手によって簡単に行うことができる。このとき、歯部１９、２０の噛み合いが解除され、連結アーム１７は被係止部１３の内側に収まり、カバー部材１１を連結部材１６に沿って排水ます５側にスライドさせることができる。カバー部材１１の外壁部１からの取外しは、容易に行うことができる。ビスの取外しなどの作業も必要とされない。外壁部１における開口２と横引きパイプ３との間の隙間１０の周辺が露出し、隙間１０に施したシーリングの確認、補修などを行うことができる。
【００４２】
このように、第２実施形態のカバー部材の取付構造でも、連結アーム１７を連結部材１６の外面側に近づけるように内側に押し込むことによって、カバー部材１１の被係止部１３の係止および係合を簡単に解除することができる。この後、カバー部材１１を枝管８に沿って排水ます５側にスライド移動させることによって、外壁部１からカバー部材１１を容易に取り外すことができる。したがって、横引きパイプ３と外壁部１の間の隙間１０に施したシーリングの確認、補修などを容易に行うことができ、メンテナンス性が向上する。また、カバー部材１１を取り付けると、外壁部１において横引きパイプ３との間の隙間１０の周辺を覆い隠すことができ、美麗に収まる。
【００４３】
第２実施形態のカバー部材の取付構造でも、連結アーム１７が、連結部材１６の直径方向に対向して２つ配置されているが、連結アーム１７の数は、特に２つに限定されることはない。カバー部材１１の固定力や、連結部材１６の外面側に近づけるように内側に押し込み、撓ませる押し込み作業の作業性などを考慮して適宜な数とすることができる。１つであっても、３つ以上の複数としても構わない。
【符号の説明】
【００４４】
１  外壁部
３  横引きパイプ
４  竪樋
５  排水ます
８  枝管
８ａ  一端
１０  隙間
１１  カバー部材
１３  被係止部
１３ａ  一端
１３ｂ  他端
１４  フランジ部
１６  連結部材
１７  連結アーム
１７ａ  一端
１７ｂ  他端
１８  爪部
１９、２０  歯部
【図１】
2012007402.tif 000003
【図２】
2012007402.tif 000004
【図３】
2012007402.tif 000005
【図４】
2012007402.tif 000006